(57)【要約】      （修正有）【課題】ピッキングによる錠前の解錠が困難であり、錠前自体に到達することが困難で破壊されにくい施解錠装置を提供する。【解決手段】鍵部と把持部とその間に配置される柄部と、を備えた鍵部材１０と、少なくとも一部から前記柄部を挿入可能で、かつ前記柄部を移動可能な第１柄部移動溝部３１を有する第１板部材と、前記第１柄部移動溝部３１に柄部が挿入された前記鍵部材１０の前記鍵部を通過させる第１鍵通過部を有する鍵通過部材と、前記第１鍵通過部を通過された前記鍵部で施解錠可能に形成された施解錠部を備えた錠前部材２０と、を備えた施解錠装置１００とした。【選択図】図１
2010255286.tif 000002
【特許請求の範囲】
【請求項１】
鍵部と把持部とその間に配置される柄部と、を備えた鍵部材と、
少なくとも一部から前記柄部を挿入可能な鍵挿入部と前記鍵挿入部に連結され前記柄部を移動可能な第１柄部移動溝部とを有する第１板部材と、前記第１柄部移動溝部に前記柄部が挿入された前記鍵部材の前記鍵部を通過させる第１鍵通過部を有する鍵通過部材と、前記第１鍵通過部を通過した前記鍵部で施解錠可能に形成された施解錠部と、を備えた錠前部材と、
を備えた施解錠装置。
【請求項２】
さらに、前記第１板部材と前記鍵通過部材との間に配置され、第２鍵通過部と第２柄部移動溝部とを有している１又は２以上の中間部材を備えてなることを特徴とする請求項１記載の施解錠装置。
【請求項３】
前記第１板部材の前記第１柄部移動溝部に沿って、径路識別用の記号又は符号が記されていることを特徴とする請求項１又は２記載の施解錠装置。
【請求項４】
前記第１鍵通過部又は第２鍵通過部は、前記鍵部が前記柄部を軸として特定の回転向きを有する場合にのみ通過可能な形状に形成されていることを特徴とする請求項１から３のいずれか１項に記載の施解錠装置。
【請求項５】
前記鍵部材は、前記柄部内部に配置された弾性部材によって把持部側へ付勢されてなる棒状体が貫通して嵌挿されており、
前記棒状体は、鍵部側へ押圧することによって、鍵部表面より外側に突出されることを特徴とする請求項１から４のいずれかに記載の施解錠装置。
【発明の詳細な説明】
【技術分野】
【０００１】
本発明は、開閉扉に取り付けられる施解錠装置に関する。
【背景技術】
【０００２】
例えば、金庫、自動販売機等の開閉扉の開閉を制御する施解錠装置として種々のものが提案されている。従来の施解錠装置の防犯機能は錠前自体に様々な複雑な機構を設けたり、パスワードを入力したりするといった手段によって、容易に開けられないようにしたものが多い。このような錠前の場合、鍵穴やパスワードの入力装置が露出しているため、泥棒、鈎荒らし等の悪意のある者によってピッキングされたり、錠前自体が壊されたりする場合があった。
【先行技術文献】
【特許文献】
【０００３】
【特許文献１】特開2008-038353号公報
【発明の概要】
【発明が解決しようとする課題】
【０００４】
そこで、本発明は、ピッキング用具やドリル等の破壊器具を錠前自体に到達させることが困難で、ピッキング又は破壊がされにくい施解錠装置を提供することにある。
【課題を解決するための手段】
【０００５】
以上のような課題を解決するために、本発明が採った手段は以下の通りである。
【０００６】
本発明に係る施解錠装置は鍵部と把持部とその間に配置される柄部と、を備えた鍵部材と、
少なくとも一部から前記柄部を挿入可能な鍵挿入部と前記鍵挿入部に連結され前記柄部を移動可能な第１柄部移動溝部とを有する第１板部材と、
前記第１柄部移動溝部に前記柄部が挿入された前記鍵部材の前記鍵部を通過させる第１鍵通過部を有する鍵通過部材と、
前記第１鍵通過部を通過された前記鍵部で施解錠可能に形成された施解錠部と、を備えた錠前部材と、
を備えた施解錠装置、を備えているものである。
【０００７】
係る構成を採用すれば、鍵部材の柄部が第１板部材の第１柄部移動溝部を移動して、かつ、鍵部が鍵通過部材の第１鍵通過部を通過しなければ、鍵部が施解錠部材に到達することができない。このように鍵部が施解錠部材へ到達するために、一定の径路を通過しなければならない構成を採用したことによって、施解錠装置の外側から鍵、ピッキング用具等の部材を施解錠部材に接触させることができない。従って、施解錠部材がピッキング等の悪意のある手段で施解錠されにくくなる。また、第１板部材、鍵通過部材が施解錠部材の外側に存在するので、ドリル等の破壊手段を施解錠部材へ到達させづらくできる。結果として、泥棒等がかぎを破壊するのを躊躇させることができ、仮に破壊工作を行っても時間が掛かるので、その間に泥棒を発見し易くなる。
【０００８】
また、さらに、本発明に係る施解錠装置は、前記第１板部材と前記鍵通過部材との間に配置され、第２柄部移動溝部と前記第２鍵通過部とを有している１又は２以上の中間部材を備えてもよい。
【０００９】
係る構成を採用すれば、鍵部が施解錠部へ到達するのに、柄部が第１板部材の第１柄部移動溝部を移動した後、鍵部が鍵通過部材の第１鍵通過部を通過するまでの間に、さらに柄部が中間部材の第２柄部移動溝部を通過し、鍵部が前記第２鍵通過部を通過しなければならない。そのため、鍵部が施解錠部に到達するためには、前述した手段より、さらに複雑な径路を辿ることになり、施解錠部がピッキング等の悪意のある手段で施解錠され難くなる。なお、中間部材の枚数を増加することによって、より複雑な径路とすることができる。
【００１０】
さらに、本発明の施解錠装置は、前記第１板部材の第１柄部移動溝部に沿って、径路識別用の記号又は符号が記されていてもよい。鍵部を施解錠部へ到達させる径路が複雑になると、その径路が分からなくなったり、認識できなくなったりする場合がある。こうした場合に径路識別用の記号又は符号が最も外側に位置する第１板部材の表面、かつ第１柄部移動溝部に沿って記されていれば、この記号又は符号で径路が再確認できて、施解錠部材に鍵部を容易に到達させることができる。
【００１１】
さらに、前記第１鍵通過部又は第２鍵通過部は、前記鍵部が前記柄部を軸として特定の回転向きを有する場合にのみ通過可能な形状に形成されていてもよい。
【００１２】
係る構成を採用すれば、鍵部が第１鍵通過部又は第２鍵通過部に到達したとしても、鍵部が第１鍵通過部又は第２鍵通過部に対して一定の向きにならなければ通過できない。これにより、さらに鍵部が施解錠部へ到達するのを困難にすることができる。
【発明の効果】
【００１３】
本発明によれば、鍵又はそれ以外の部材が施解錠部材へ到達するために、一定の決まった径路を経由しなければならないので、ピッキングによる錠前の解錠を困難にすることができる。また、錠前自体に部材を接触させることが困難で破壊されにくい施解錠装置を提供することができる。
【図面の簡単な説明】
【００１４】
【図１】図１は、本発明の第１実施形態に係る施解錠装置の斜視図である。
【図２】図２は、本発明の第１実施形態に係る施解錠装置の鍵部材の側面図である。
【図３】図３は、本発明の第１実施形態に係る施解錠装置の平面断面図である。
【図４】図４は、本発明の第１実施形態に係る施解錠装置の錠前部材を分解した斜視図である。
【図５】図５は、本発明の第２実施形態に係る施解錠装置の平面断面図である。
【図６】図６は、本発明の第２実施形態に係る施解錠装置の鍵部材である。
【図７】図７は、本発明の第２実施形態に係る施解錠装置の錠前部材を分解した斜視図である。
【図８】図８は、本発明の第２実施形態に係る施解錠装置の錠前部材を構成する第１板部材、中間部材及び鍵通過部材を並列にならべた模式図である。
【図９】図９は、本発明の第２実施形態に係る施解錠装置の鍵部材及び錠前部材の別実施形態を示す斜視図である。
【発明を実施するための形態】
【００１５】
以下、本発明の実施形態について、図面に沿って、詳細に説明する。なお、以下に説明する実施形態及び図面は、本発明の実施形態の一部を例示するものであり、これらの構成に限定する目的に使用されるものではない。なお、各図において対応する構成要素には同一の符号が付されている。
【００１６】
（第１実施形態）
第１実施形態の施解錠装置１００は、図１に示されるように、鍵部材１０と錠前部材２０とを備えている。
【００１７】
鍵部材１０は、図２に示されるように、鍵部１１、柄部１２及び把持部１３を備えている。鍵部１１は、施解錠部５０（図３参照）に直接挿入又は係止されて施解錠動作を行う部分であり、鍵穴差し込み式のキーである。柄部１２は、鍵部１１と把持部１３とを連結する部分であり、第１実施形態においては、柄部１２は断面円形の長尺ロッドに形成されている。把持部１３は、柄部１２及び鍵部１１を移動させたり、回転させたりするための部位である。第１実施形態においては、棒状体が柄部１２とＴ字型をなすように取り付けられ把持部１３をなしている。
【００１８】
錠前部材２０は、図１、図３に示されるように、第１板部材３０、鍵通過部材４０及び施解錠部５０を備えている。
【００１９】
第１板部材３０は錠前部材２０で最も表面側に配置される板部材であり、図４に示されるように第１柄部移動溝部３１が設けられている。第１柄部移動溝部３１には溝が迷路状に設けられていて、鍵部材１０の鍵部１１は第１板部材３０の表裏を通過することができないが、鍵部材１０の柄部１２は溝に沿って自在に移動することができる。迷路の形状は特に限定するものではない。施解錠する際には柄部１２を通過させる必要のない溝を設けてもよい（例えば３１ｂ）。当然、迷路は複雑に形成すればするほど、鍵部１１を正しい径路で辿らせるのが困難になり、ピッキング等の防止効果が高まる。第１柄部移動溝部３１には、溝内に鍵部１１の柄部１２を挿入することができるように、その一部に鍵を挿入することができる大きさの穴で形成された鍵挿入部３２が設けられている。
【００２０】
鍵通過部材４０は、鍵部１１を通過させて最終的に施解錠部５０へ通じる第１鍵通過部４１として穴が形成されている。すなわち、施解錠部５０は第１鍵通過部４１の真裏に配置される。また、第１鍵通過部４１は、第１板部材３０の第１柄部移動溝部３１を移動している鍵部１１を通過させることができるように、第１柄部移動溝部３１の存在する部分の裏側に設置される。また、鍵通過部材４０は、鍵部１１が第１板部材３０と鍵通過部材４０との間を移動できるように、第１板部材３０と鍵通過部材４０との間に鍵部１１より若干広い間隙を設けて裏側に配置されている。第１板部材３０と鍵通過部材４０との周囲には、第１板部材３０と鍵通過部材４０との間隙内を外部から視認することができないように、側壁７０を設けることが好ましい。周囲を覆うことで第１鍵通過部４１の位置が外部から認識することができなくなり、第三者による施解錠部へのピッキング等の意欲を削ぐことができる。鍵通過部材４０は、完全に別部材として作製して施解錠部５０の相当位置に取り付けてもよいが、図３に示されるように開閉扉８０の一部として形成してもよい。
【００２１】
施解錠部５０は、特に限定するものではなく、外側から物理的操作によって施解錠することができる形態のものであれば、種々の錠前を用いることができる。先述したように、施解錠部５０は、鍵通過部材４０の鍵通過部４１の裏側に配置され、第１鍵通過部４１を通過した鍵部１１によって、施解錠部５０は施解錠される。
【００２２】
以上詳述した第１実施形態の施解錠装置１００は、以下のようにして使用される。まず、鍵部材１０を第１板部材３０の鍵挿入部３２から差し込み、鍵部１１を第１板部材３０と鍵通過部材４０との間隙に配置する。そして、鍵部材１０の柄部１２を第１柄部移動溝部３１内で移動させて、鍵部材１０を第１鍵通過部４１の位置（３１ａ）まで移動させる。次に、鍵部１１を第１鍵通過部４１に通過させて鍵部１１を施解錠部５０の鍵穴に係合させる。さらに、鍵部材１０を回転することにより施解錠部５０は施解錠される。
【００２３】
このように鍵挿入部３２から施解錠部５０までの径路を迷路状に形成することで、施解錠部５０の位置が外からでは確認できなく、又は確認しづらくすることができ、鍵穴へ鍵部１１を到達させずらくできる。これにより、悪意をもった第三者による施解錠部５０の破壊やピッキングによる解錠を防止することができる。
【００２４】
（第２実施形態）
第２実施形態の施解錠装置１００は、図５に示されるように、鍵部材１０と錠前部材２０とを備えている。
【００２５】
鍵部材１０は、第１実施形態と同様に、鍵部１１、柄部１２及び把持部１３を備えている。第２実施形態の鍵部１１は、第１実施形態の鍵部が差し込み式のキー形状であったのに対し、図６に示されるように外径が扁円形であって、全体が略扁円形凹状に形成されている。
【００２６】
さらに、鍵部材１０の柄部１２の内部には、摺動可能に棒状体１４が内挿されている。棒状体１４は、柄部１２内部に配置された弾性部材１５で把持部１３側へ付勢されていて、通常は先端が鍵部１１表面より内側に配置されている。棒状体１４の把持部側端部には、棒状体１４を押圧する円形の押圧部１６が設けられていて、押圧部１６を押圧することによって、棒状体１４は鍵部１１表面より外側へ突き出すことになる。
【００２７】
錠前部材２０は、第１板部材３０、中間部材６０、鍵通過部材４０及び施解錠部５０を備えている。
【００２８】
第１板部材３０は、施解錠装置１００で最も表面側に配置される板部材であり、第１柄部移動溝部３１が設けられている点は、第１実施形態と同様である。鍵挿入部３２は、迷路上の第１柄部移動溝部３１の一部が第１板部材３０の端辺まで連続した開口で形成されている。第１柄部移動溝部３１には、図７に示されるように、溝に沿って符号が付されている。
【００２９】
中間部材６０は、鍵通過部材４０と第１板部材３０との間に配置される部材であり、１又は２以上の中間部材６０が配置される。第２実施形態においては、図５，７に示されるように、３枚の中間部材６０が鍵通過部材４０と第１板部材３０との間に配置されている。それぞれ第１板部材３０と中間部材６０ａとの間、各中間部材（６０ａ〜６０ｃ）同士の間、及び中間部材６０ｃと鍵通過部材４０との間には、それぞれ鍵部１１が移動できる程度の間隙が形成されている。中間部材６０は、図８に示されるように鍵部１１の扁円形状とほぼ同様又は若干大きい扁円形の第２鍵通過部６２と、この第２鍵通過部６２に連続した第２柄部移動溝部６１（６１ａ〜６１ｃ）が形成されている。第２柄部移動溝部６１は、第１板部材３０の溝全体と同じ形状の溝又は、その一部と同様の形状に設けられている。従って、第１板部材３０を通過した鍵部１１は、第１柄部移動溝部３１、第２柄部移動溝部６１を移動しながら、それぞれの第１鍵通過部４１、第２鍵通過部６２（６２ａ〜６２ｃ）を通過させなければ、施解錠部５０に到達させることができない。
【００３０】
鍵通過部材４０は、第１実施形態における鍵通過部材と同様であるので、説明を省略する。なお、第１板部材３０、中間部材６０、鍵通過部材４０の側面は、内側が視認できないように側面は塞がれている点も同様である。
【００３１】
施解錠部５０は、第２実施形態においては図５、６に示されるように、開閉扉の扉枠側に設けられたボルト穴と、このボルト穴と螺合するボルトとで形成されている。ボルトの頭は、外径が鍵部の扁円形と同様の形状である。また、ボルトの頭には、鍵部材１０の柄部１２内部の棒状体１４が嵌挿される嵌挿孔５１が形成されている。従って、鍵部１１をボルトの頭に被せる際に、押圧部１６を押して棒状体１４をこの嵌挿孔５１に挿入することによって、鍵部１１とボルトの互いの位置関係が固定され、鍵部１１をボルトの頭に被せ易くなる。そして、鍵部１１をボルトの頭に被せて回すことによって、施解錠部５０は施解錠される。係る形状の鍵部１１と施解錠部５０を採用することで、特殊な形状の頭部に適合させた鍵部でなければ、頭部全体を掴んで施解錠させることができなくなる。
【００３２】
以上詳述した第２実施形態の施解錠装置１００は、以下のようにして使用される。まず、鍵部材１０を第１板部材３０の鍵挿入部３２（「こ」の位置）から差し込み、鍵部１１を第１板部材３０と第１中間部材６０ａとの間隙に配置する。そして、鍵部材１０の柄部１２を第１柄部移動溝部３１内で「の」を経由しつつ移動させて、鍵部材１０を第２鍵通過部６２ａの位置（「ほ」の位置）まで移動させる。そして、この位置で鍵部１１を第１中間部材６０ａの裏面側に通過させて、第１中間部材６０ａと中間部材６０ｂとの間隙に配置する。このとき、鍵部１１の形状と第２鍵通過部６２ａの形状は、扁円形をなしているため、鍵部１１を特定の回転方向にしなければ、鍵部１１を通過させることができない。次に、鍵部材１０の柄部１２を、第１柄部移動溝部３１、第２柄部移動溝部６１ａ内で移動させながら「ほ」の位置から「う」を経由して「こ」の位置まで移動させる。さらに、鍵部１１を先ほどと同様に回転方向を第２鍵通過部６２ｂと適合させて第２中間部材６０ｂの第２鍵通過部６２ｂを通過させる。同様にして、鍵部材１０の柄部１２を、第１柄部移動溝部３１、第２柄部移動溝部６１ａ、６１ｂ内で移動させながら「こ」の位置から「う」の位置まで移動させる。そして、鍵部１１を先ほどと同様に回転方向を第２鍵通過部６２ｃと適合させて第３中間部材６０ｃの第２鍵通過部６２ｃを通過させる。さらに、鍵部材１０の柄部１２を、第１柄部移動溝部３１、第２柄部移動溝部６１ａ、６１ｂ及び６１ｃ内で移動させながら「う」の位置から「に」、「い」を経由して「よ」の位置まで移動させる。ついで、鍵部１１を第１鍵通過部４１に通過させる。こうして鍵部１１を施解錠部５０に到達させ、鍵部１１を施解錠部５０に被せて回転させることにより施解錠される。
【００３３】
第２実施形態においては、第１実施形態における効果に加えて以下の効果を有する。第２柄部移動溝部を迷路状に形成した複数の中間部材が奥行き方向へ並設されている上、各中間部材に鍵部が通過する箇所が特定されているので、鍵部材が迷路状を移動しながら順次奥側（施解錠部材側）へ移動させなければならない。従って、中間部材の枚数が多くなればなるほど鍵部材を施解錠部材へ移動させるのを難しくでき、時間が掛かるようになる。よって、悪意をもった第三者による施解錠部の破壊やピッキングによる解錠を躊躇させることができる。また、解錠自体も非常に困難なものとなる。また、ドリル等を使用した鍵荒らしの方法を使用したとしても、施解錠部まで到達させるために複数枚の中間部材を破壊しなければならないので、非常に時間が掛かることになる。
【００３４】
さらに、鍵挿入部から施解錠部まで到達する径路が複雑になるため、本来の使用者がその径路を忘れてしまったり、分からなくなったりする場合が考えられる。しかし、径路に符号を付しておけば、この符号によって径路を理解できるようにしておけば、使用者は径路を間違えることなく速やかに施解錠部まで鍵部材を到達させることができる。例えば、第２実施形態の場合には、「こ、の、ほ、う、こ、う、に、い、く、よ」と柄部を移動させていけば、施解錠部に到達させることができる。このように語呂合わせにしておくと、記憶するのに便利である。
【００３５】
なお、本発明は上述した実施形態で何ら限定されるものではなく、本発明の技術的範囲に属する限りにおいて種々の態様で実施し得るものである。
【００３６】
例えば、上述した実施形態においては、鍵部材の鍵部は、鍵穴への差し込み式のキー形状、又は全体外径が扁円形の略扁円形凹状に形成したが、これらに限定されるものではなく、施解錠部材の鍵穴等に適合するように種々の形態を採用することができる。例えば、図９に示されるように、鍵部材１０の鍵部として扁円形の板に形成し、鍵通過孔４０を扁円形の板と同様の形状に形成し、解錠部５０として頭部に前記扁円形の板が嵌合する凹形状を有するボルトとしてもよい。
【００３７】
また、上述した実施形態においては、鍵部材の把持部としては棒状体が柄部とＴ字型をなすものを用いたが、通常の鍵のように平板を柄部に取り付けたものでもよいし、すこし膨らんだ握り部を設けたものであってもよい。
【００３８】
さらに、上述した実施形態においては、錠前部材の第１板部材には、符号として「ひらがな」を用いたが、アルファベット、数字、図柄等であってもよい。
【符号の説明】
【００３９】
１０  鍵部材
１１  鍵部
１２  柄部
１３  把持部
１４  棒状体
１５  弾性部材
１６  押圧部
３０  第１板部材
３１  第１柄部移動溝部
３２  鍵挿入部
４０  鍵通過部材
４１  第１鍵通過部
５０  施解錠部
５１  嵌挿孔
６０  中間部材
６１  第２柄部移動溝部
６２  第２鍵通過部
【図１】
2010255286.tif 000003
【図２】
2010255286.tif 000004
【図３】
2010255286.tif 000005
【図４】
2010255286.tif 000006
【図５】
2010255286.tif 000007
【図６】
2010255286.tif 000008
【図７】
2010255286.tif 000009
【図８】
2010255286.tif 000010
【図９】
2010255286.tif 000011